(57)【要約】【課題】本発明は、米粒の供給量を増やし、精白室内における米粒の充満度を上げた場合でも、米粒の流動性を確保して精米効率を向上させることができる研削式横型精米機を提供することを目的とする。【解決手段】本発明は、研削ロールの円形の外周面に、軸方向に延びる撹拌用の溝が形成されるとともに、前記溝内に複数の噴風孔が形成されてなり、前記研削ロールを回転駆動しながら前記噴風孔からエアを噴風し、前記精白室で精白を行うことを特徴とする。【選択図】図５
2017221923.tif 000002
【特許請求の範囲】
【請求項１】
多孔壁からなる精白筒、前記精白筒内に回転可能に配設される研削ロールを有し、前記精白筒と前記研削ロールの間に精白室が形成されてなり、前記精白室の一端側から供給される米粒を前記精白室内で精白し、該精白した米粒を前記精白室の他端側から排出する研削式横型精米機において、
前記研削ロールの円形の外周面には、軸方向に延びる撹拌用の溝が形成されるとともに、前記溝内に複数の噴風孔が形成されてなり、前記研削ロールを回転駆動しながら前記噴風孔からエアを噴風し、前記精白室で精白を行うことを特徴とする研削式横型精米機。
【請求項２】
前記噴風孔は、前記溝内に前記研削ロールの回転方向後方に向けてエアを噴風する開口を有する請求項１記載の研削式横型精米機。
【請求項３】
前記噴風孔は、前記溝内に前記研削ロールの回転方向前方に向けてエアを噴風する開口を有する請求項１記載の研削式横型精米機。
【請求項４】
前記溝は、前記研削ロールの回転方向前方側が緩斜面、後方側が急斜面により形成される請求項１乃至３のいずれかに記載の研削式横型精米機。
【請求項５】
前記研削ロールは、超砥粒層が形成される外周面を有する請求項１乃至４のいずれかに記載の研削式横型精米機。
【請求項６】
前記精白筒の内面には、前記精白室内を移動する米粒に抵抗を与える抵抗部材を設けてなる請求項１乃至５のいずれかに記載の研削式横軸精米機。
【請求項７】
前記研削ロールは、複数のロールに分割可能に形成される請求項１乃至６のいずれかに記載の研削式横軸精米機。
【発明の詳細な説明】
【技術分野】
【０００１】
本発明は、研削ロールを用いて米粒を精白する研削式横型精米機に関する。
【背景技術】
【０００２】
従来、外周面に砥粒層が形成されてなる研削ロールを用いて米粒を精白する研削式横型精米機は周知である（特許文献１、２参照。）。
【０００３】
図８は、特許文献１に記載された研削式横型精米機を示す。
特許文献１には、内部に研削転子１８が回転自在に横架され、前記研削転子１８の周囲に多孔壁除糠精白筒１９が設けられ、前記研削転子１８と前記多孔壁除糠精白筒１９との間に精白室２０が形成され、前記精白室２０の米粒排出口２１側には抵抗板２３が設けられた研削精米機１が記載されている。
【０００４】
特許文献１に記載された研削精米機によれば、精白室２０内に入った米粒は、回転する研削転子１８と接触してその表面が徐々に研削され、糠が多孔壁除糠精白筒１９の孔より除かれ、精白された米粒が抵抗板２３を押し開き、米粒排出口２１から外部に排出されることで精米される。
【０００５】
しかしながら、上記特許文献１に記載された研削精米機において、精米効率を向上させるため、米粒の供給量を増やして精白室内における米粒の充満度を上げると、前記米粒の流動性が低下して閉塞を起こしてしまう問題がある。
【０００６】
図９は、特許文献２に記載された研削式横型精米機を示す。
特許文献２には、金網６内に金剛砂ロール１４を回転自在に取り付け、前記金網６と前記金剛砂ロール１４との間隙を精白室１５となし、前記精白室１５の一端側に設けてなる排出口の付近には、分銅２８により付勢力を与えられ前記精白室１５に向けて付勢される圧迫蓋２７を設け、前記精白室１５内であって前記金網６内面には多数の抵抗爪２９を設けてなる精穀機が記載されている。
【０００７】
特許文献２に記載された精穀機によれば、精白室１５内に送られた玄米は、金剛砂ロール１４により糠層が削り取られ、排出口側へ移送される間に精白作用が進行し、精白米となった米粒が圧迫蓋２７に抗して排出口２６機外に排出されることで精米される。
【０００８】
また、上記特許文献２に記載された精穀機によれば、精白室１５内に設けられる抵抗爪２９の角度を変化させ、米粒への抵抗を変更することで、むら搗きを防止し、精白能力（精白度）の調整を行うことができる。
【０００９】
しかしながら、上記特許文献２に記載された精穀機においても、精米効率を向上させるため、米粒の供給量を増やして精白室内における米粒の充満度を上げると、前記米粒の流動性が低下して閉塞を起こしてしまう問題がある。
【先行技術文献】
【特許文献】
【００１０】
【特許文献１】特公平２−１８１３８号公報
【特許文献２】実開昭６２−１１４６３３号公報
【発明の概要】
【発明が解決しようとする課題】
【００１１】
そこで、本発明は、米粒の供給量を増やし、精白室内における米粒の充満度を上げた場合でも、米粒の流動性を確保して精米効率を向上させることができる研削式横型精米機を提供することを目的とする。
【課題を解決するための手段】
【００１２】
上記目的を達成するため、本発明は、
多孔壁からなる精白筒、前記精白筒内に回転可能に配設される研削ロールを有し、前記精白筒と前記研削ロールの間に精白室が形成されてなり、前記精白室の一端側から供給される米粒を前記精白室内で精白し、該精白した米粒を前記精白室の他端側から排出する研削式横型精米機において、
前記研削ロールの円形の外周面には、軸方向に延びる撹拌用の溝が形成されるとともに、前記溝内に複数の噴風孔が形成されてなり、前記研削ロールを回転駆動しながら前記噴風孔からエアを噴風し、前記精白室で精白を行うことを特徴とする。
【００１３】
本発明は、前記精白室の前記他端側に、所定の付勢力を付与される抵抗板により閉鎖される排出口が設けられ、前記精白室内で精白した米粒を前記精白室の前記他端側に設けられる前記排出口から前記抵抗板を押し開いて排出することが好ましい。
【００１４】
本発明は、前記噴風孔が、前記溝内に前記研削ロールの回転方向後方に向けてエアを噴風する開口を有することが好ましい。
【００１５】
本発明は、
前記噴風孔が、前記溝内に前記研削ロールの回転方向前方に向けてエアを噴風する開口を有することが好ましい。
【００１６】
本発明は、前記噴風孔が、前記溝内に前記精白室の前記一端側に向けてエアを噴風する開口を有することが好ましい。
【００１７】
本発明は、前記噴風孔が、前記溝内に前記精白室の前記他端側に向けてエアを噴風する開口を有することが好ましい。
【００１８】
本発明は、前記溝が、前記研削ロールの回転方向前方側が緩斜面、後方側が急斜面により形成されることが好ましい。
【００１９】
本発明は、前記研削ロールが、超砥粒層が形成される外周面を有することが好ましい。
【００２０】
本発明は、前記精白筒の内面に、前記精白室内を移動する米粒に抵抗を与える抵抗部材を設けてなることが好ましい。
【００２１】
本発明は、前記研削ロールが、複数のロールに分割可能に形成されることが好ましい。
【発明の効果】
【００２２】
本発明の研削式横型精米機は、前記研削ロールが円形の外周面を有し、前記研削ロールの外周面には、軸方向に延びる撹拌用の溝が形成されるとともに、前記溝内に複数の噴風孔が形成されてなり、前記研削ロールを回転駆動しながら前記噴風孔からエアを噴風し、前記精白室で精白を行うことができるので、前記撹拌用の溝による米粒の撹拌効果と、前記エアによる米粒の撹拌効果とが相俟って、精白室内における米粒の流動性を格段に向上させることができる。
【００２３】
したがって、本発明の研削式横型精米機によれば、米粒の供給量を増やし、精白室内における米粒の充満度を上げた場合でも、米粒の流動性を確保して精米効率を向上させることができる。
【００２４】
本発明の研削式横型精米機は、前記噴風孔が、前記溝内に前記研削ロールの回転方向後方に向けてエアを噴風する開口を有することとすれば、前記エアにより米粒を撹拌できるとともに、前記精白室で発生した糠を前記精白筒の多孔壁から効果的に排出することができる。
【００２５】
本発明の研削式横型精米機は、前記噴風孔が、前記溝内に前記研削ロールの回転方向前方に向けてエアを噴風する開口を有することとすれば、前記エアにより米粒を効果的に撹拌できるとともに、前記精白室で発生した糠を前記精白筒の多孔壁から排出することができる。
【００２６】
本発明の研削式横型精米機は、前記噴風孔が、前記溝内に前記精白室の前記一端側に向けてエアを噴風する開口を有することとすれば、前記エアにより米粒を効果的に撹拌することができる。
【００２７】
本発明の研削式横型精米機は、前記噴風孔が、前記溝内に前記精白室の前記他端側に向けてエアを噴風する開口を有することとすれば、前記エアにより米粒を撹拌できるとともに米粒の送り方向への流動性を向上させることができる。
【００２８】
本発明の研削式横型精米機は、前記溝が、前記研削ロールの回転方向前方側が緩斜面、後方側が急斜面により形成されることとすれば、前記緩斜面により前記溝内に流入した米粒を前記急斜面により強制的に排除することとなり、米粒をより効果的に撹拌することができる。
【００２９】
本発明の研削式横型精米機は、前記研削ロールが、超砥粒層が形成される外周面を有することとすれば、研削ロールによる研削能力が向上するため、精米効率を向上させる上で有効である。
【００３０】
本発明の研削式横型精米機は、前記精白筒の内面に、前記精白室内を移動する米粒に抵抗を与える抵抗部材を設けてなることとすれば、前記特許文献２に記載されたような研削式横型精米機において、米粒の供給量を増やし、精白室内における米粒の充満度を上げた場合でも、米粒の流動性を確保して精米効率を向上させることができる。
【００３１】
本発明研削式横型精米機は、前記研削ロールが、複数のロールに分割可能に形成されることとすれば、組み付けや交換が容易となり、1人の作業員で組み付け等の作業を行うことができる。また、研削ロールの一部の砥粒層が摩耗した場合には、必要なロールのみを交換すればよく、研削ロール全体を交換する場合に比べコスト的に有利である。
【図面の簡単な説明】
【００３２】
【図１】本発明の実施の形態における研削式横型精米機の概略断面図。
【図２】研削ロールの正面図。
【図３】図２の左側面図。
【図４】図２の断面斜視図。
【図５】円筒状ロールの斜視図。
【図６】研削ロールの動作説明図。
【図７】研削ロールの他の動作説明図。
【図８】従来の研削式横型精米機の説明図。
【図９】従来の研削式横型精米機の説明図。
【発明を実施するための形態】
【００３３】
本発明の実施の形態を図面に基づいて説明する。
図１は本発明の実施の形態における研削式横型精米機の概略断面図を示す。
本発明の実施の形態における研削式横型精米機１００は、送穀部１１０と精白部１２０を備える。
前記送穀部１１０は、円筒状の送穀筒１１１と、該送穀筒１１１内に配設されるねじロール１１２を有し、前記送穀筒１１１と前記ねじロール１１２の間に米粒を移送する送穀室１１３が形成される。
前記送穀筒１１１は、一端側上部に原料供給口１１４が形成され、該原料供給口１１４には原料供給筒１１５が立設される一方で、他端側端部において開口する。また、前記ねじロール１１２は、図示しない駆動モータにより回転駆動される主軸１１６に装着される。
【００３４】
前記精白部１２０は、金網等の多孔壁からなる円筒状又は多角筒状の精白筒１２１と、該精白筒１２１内であって前記ねじロール１１２と同軸上に配設される研削ロール１２２を有し、前記精白筒１２１と前記研削ロール１２２の間に米粒を精白する精白室１２３が形成される。
ここで、前記研削ロール１２２は、軸方向に直角な断面が円形の外周面を有し、該外周面にはｃＢＮ砥粒やダイヤモンド砥粒からなる超砥粒を電着してなる超砥粒層が形成されている。
【００３５】
前記精白室１２３は、一端側端部において前記送穀室１１３と連通し、当該精白室１２３内で前記送穀室１１３から移送される米粒を精白する一方、他端側には精白された米粒を排出する排出口１２４が設けられ、該排出口１２４は分銅等の調整により所定の付勢力が付与される抵抗板１２５により閉鎖されている。
【００３６】
前記研削ロール１２２には、複数の噴風孔１２６が形成されており、図示しないエア供給源から当該研削ロール１２２内に供給されるエアが前記噴風孔１２６から噴風される。
前記精白室１２３の周囲には集糠室１２７が設けられ、該集糠室１２７は下方に設けられる集糠ダクト１２８と連通する。
【００３７】
本発明の実施の形態における研削式横型精米機１００において、前記原料供給筒１１５から前記原料供給口１１４を介して前記送穀室１１３に供給された原料米Ｒは、前記ねじロール１１２により前記精白室１２３側へ移送される。
そして、前記精白室１２３に移送された原料米Ｒは、前記研削ロール１２２の研削作用により精白されながら前記排出口１２４へ向けて移動し、前記抵抗板１２５を押し開いて排出される。
【００３８】
前記精白室１２３では、原料米Ｒの精白により糠が発生するが、前記糠は前記研削ロール１２２に形成される噴風孔１２６から噴風されるエアにより、前記精白筒１２１の孔から集糠室１２７を介して集糠ダクト１２８へ排出される。
【００３９】
図２は研削ロールの説明図であって正面図を示す。また、図３は図２の左側面図を示す。
本発明の実施の形態において、研削ロール１２２の円形の外周面には、前記研削ロール１２２の中心軸と平行に直線状に延びる複数の撹拌用の溝１３１が形成される。前記溝１３１はＶ字形の断面を有し、前記噴風孔１２６は前記溝１３１のＶ字を構成する傾斜面に開口するように形成される。
【００４０】
図４は図２の断面斜視図を示す。
前記研削ロール１２２は内部に中空部１３２を有する。前記研削ロール１２２の一端部であって、前記精白室１２３の前記排出口１２４側に配設される端部には、図示しないエア供給源から供給されるエアｆ１を当該研削ロール１２２の前記中空部１３２内に導入するためのエア導入口１３３が設けられる。
【００４１】
図５は研削ロールを構成する円筒状ロールの斜視図を示す。
前記研削ロール１２２は、複数の円筒状ロール１３４により構成される。前記円筒状ロール１３４は、中央に前記主軸１１６への取付部１３５、該取付部１３５に放射状に設けられる複数の支柱１３６を有し、前記支柱１３６により外周面に超砥粒層が形成される円筒体１３７が支持される。
前記研削ロール１２２において、前記溝１３１のＶ字を構成する傾斜面に開口する噴風孔１２６は前記中空部１３２に連通し、前記エア導入口１３３から前記研削ロール１２２の中空部１３２内に導入されたエアｆ２は、前記噴風孔１２６を介して前記溝１３１内の開口から噴風ｆ３される。
【００４２】
図６は、図２の左側面図であって研削ロールの動作説明図を示す。
本発明の実施の形態において、研削ロール１２２の撹拌用の溝１３１には、前記研削ロール１２２の回転方向Ａ前方側に位置する傾斜面に噴風孔１２６の開口が形成されている。
【００４３】
本発明の実施の形態において、前記研削ロール１２２を回転駆動しながら前記噴風孔１２６からエアを噴風ｆ３し、前記精白室１２３で米粒を精白することで、前記精白室１２３内で前記研削ロール１２２の研削作用により精白される米粒は、前記複数の撹拌用の溝１３１により撹拌されると同時に、前記噴風孔１２６から噴風されるエアによっても撹拌されるため、流動性が格段に向上する。
【００４４】
したがって、本発明の実施の形態における研削式横型精米機１００によれば、米粒の供給量を増やし、精白室１２３内における米粒の充満度を上げた場合でも、従来の研削式横型精米機に比べ、米粒の流動性を確保できるため、精米効率を向上させることができる。
【００４５】
また、本発明の実施の形態における研削式横型精米機１００によれば、前記噴風孔１２６からは、前記研削ロール１２２の回転方向Ａ後方に向けてエアが噴風されることとなり、前記精白室１２３で発生した糠を前記精白筒１２１の孔から効果的に排出することができる。
【００４６】
図７は、本発明の他の実施形態であって研削ロールの他の動作説明図を示す。
本発明の他の実施の形態において、研削ロール１２２の撹拌用の溝１３１には、前記研削ロール１２２の回転方向Ａ後方側に位置する傾斜面に噴風孔１２６の開口が形成されている。
【００４７】
本発明の他の実施の形態における研削式横型精米機１００によれば、前記噴風孔１２６からは、前記研削ロール１２２の回転方向Ａ前方に向けてエアが噴風ｆ３されることとなるため、前記精白室１２３内で前記研削ロール１２２の研削作用により精白される米粒は、前記噴風孔１２６から噴風されるエアにより効果的に撹拌されることとなる。
【００４８】
したがって、本発明の他の実施の形態における研削式横型精米機１００によれば、米粒の供給量を増やし、精白室１２３内における米粒の充満度を上げた場合、従来の研削式横型精米機に比べ、一段と米粒の流動性を確保できるため、精米効率をより向上させることができる。
【００４９】
本発明の実施の形態において、前記噴出孔１２６は、前記精白室１２３の米粒が供給されてくる側に向けてエアを噴風する開口を有するものとすることができる。
前記噴出孔１２６が、前記精白室１２３の米粒が供給されてくる側に向けてエアを噴風する開口を有するものであれば、前記エアにより米粒をより効果的に撹拌することができる。
【００５０】
また、本発明の実施の形態において、前記噴出孔１２６は、前記精白室１２３から米粒が排出される側に向けてエアを噴風する開口を有するものとすることもできる。
前記噴出孔１２６が、前記精白室１２３から米粒が排出される側に向けてエアを噴風する開口を有するものであれば、前記エアにより米粒を撹拌できるとともに、前記米粒の送り方向への流動性を向上させることができる。
【００５１】
本発明の実施の形態において、前記撹拌用の溝１３１は、前記研削ロール１２２の回転方向前方側を緩斜面、回転方向後方側を急斜面により形成することができる。
前記溝１３１が、前記研削ロール１２２の回転方向前方側を緩斜面、回転方向後方側を急斜面により形成するものであれば、前記緩斜面により前記溝１３１内に流入した米粒を前記急斜面により強制的に排出することで、米粒をより効果的に撹拌することができる。
【００５２】
本発明の実施の形態において、前記研削ロール１２２は、分割可能な複数の円筒状ロール１３３を組み合わせて構成されるので、前記研削ロール１２２の組み付けや交換が容易となり、1人の作業員で各作業を行うことができる。
また、研削ロール１２２は、一部の砥粒層が摩耗した場合には、必要な円筒状ロール１３３のみを交換すればよく、研削ロール全体を交換する場合に比べコスト的に有利である。
【００５３】
上記本発明の実施の形態において、研削式横型精米機１００は、精白室１２３内に抵抗爪を設けない場合を例として説明したが、図９に示す特許文献２に記載された研削式横型精米機のように、精白室内を移動する米粒に抵抗を与える抵抗爪を設けた場合も同様に、米粒の供給量を増やして精白室内における米粒の充満度を上げた場合に、米粒の流動性を確保して精米効率を向上させることができる。
【００５４】
本発明は、上記実施の形態に限るものでなく、発明の範囲を逸脱しない限りにおいてその構成を適宜変更できることはいうまでもない。
【産業上の利用可能性】
【００５５】
本発明の研削式横型精米機は、米粒の供給量を増やし、精白室内における米粒の充満度を上げた場合でも、米粒の流動性を確保して精米効率を向上させることができるため、極めて有用である。
【符号の説明】
【００５６】
１００      研削式横型精米機
１１０      送穀部
１１１      送穀筒
１１２      ねじロール
１１３      送穀室
１１４      原料供給口
１１５      原料供給筒
１１６      主軸
１２０      精白部
１２１      精白筒
１２２      研削ロール
１２３      精白室
１２４      排出口
１２５      抵抗板
１２６      噴風孔
１２７      集糠室
１２８      集糠ダクト
１３１      溝
１３２      中空部
１３３      エア導入口
１３４      円筒状ロール
１３５      取付部
１３６      支柱
１３７      円筒体
Ｒ      原料米
【図１】
2017221923.tif 000003
【図２】
2017221923.tif 000004
【図３】
2017221923.tif 000005
【図４】
2017221923.tif 000006
【図５】
2017221923.tif 000007
【図６】
2017221923.tif 000008
【図７】
2017221923.tif 000009
【図８】
2017221923.tif 000010
【図９】
2017221923.tif 000011